(57)【要約】【課題】燃焼タイマーの機能があっても使い勝手を損なわないようにする。【解決手段】バーナ４と、給水管６と出湯管７とが接続されてバーナ４に加熱される熱交換器５と、バーナ４の燃焼を制御するコントローラ１２とを備え、コントローラ１２は、バーナ４の燃焼開始から所定時間の経過でバーナ４の燃焼を停止させる燃焼タイマーを作動可能な給湯器１において、コントローラ１２は、熱交換器５のフィンの閉塞度合いを判断し、フィンの閉塞が所定の度合いまで進行していたときにのみ燃焼タイマーを作動させる。【選択図】図１
2014025664.tif 000002
【特許請求の範囲】
【請求項１】
バーナと、給水管と出湯管とが接続されて前記バーナに加熱される熱交換器と、前記バーナの燃焼を制御する制御手段とを備え、前記制御手段は、前記バーナの燃焼開始から所定時間の経過で前記バーナの燃焼を停止させる燃焼タイマーを作動可能な給湯器であって、
前記制御手段は、前記熱交換器のフィンの閉塞度合いを判断し、前記フィンの閉塞が所定の度合いまで進行していたときにのみ前記燃焼タイマーを作動させることを特徴とする給湯器。
【請求項２】
前記制御手段は、前記フィンの閉塞度合いに応じて前記燃焼タイマーの前記所定時間を変更することを特徴とする請求項１に記載の給湯器。
【請求項３】
前記バーナへ燃焼用空気を供給する給気ファンを備え、前記燃焼タイマーの前記所定時間の変更は、前記バーナの燃焼が停止した際に実行される前記給気ファンのポストパージの際に行うことを特徴とする請求項２の記載の給湯器。
【発明の詳細な説明】
【技術分野】
【０００１】
本発明は、バーナの燃焼開始から所定時間の経過でバーナの燃焼を停止させる燃焼タイマーが作動可能な給湯器に関する。
【背景技術】
【０００２】
給湯器は、特許文献１に開示の如く、バーナに加熱される熱交換器に、給水管と出湯管とを接続し、給湯栓を開栓して器具内に通水させると、これを検知したコントローラ（制御手段）がバーナを燃焼させて熱交換器を通過する水を加熱させ、出湯管から出湯させる。
一方、このような給湯器においては、ＣＯ中毒とならない室内環境を確保するために、バーナの燃焼開始から一定時間（例えば一時間）連続使用するとバーナの燃焼を強制的に停止させる燃焼タイマーを備えたものが知られている。
【先行技術文献】
【特許文献】
【０００３】
【特許文献１】特開平８−３２０１１６号公報
【発明の概要】
【発明が解決しようとする課題】
【０００４】
しかし、この燃焼タイマーは、正常時と異常時とにかかわらず一律に作動するため、熱交換器のフィン閉塞が進行していない正常時にも燃焼タイマーが作動して器具が停止してしまうことになり、使い勝手が悪くなっていた。
【０００５】
そこで、本発明は、燃焼タイマーの機能があっても使い勝手を損なわないようにした給湯器を提供することを目的としたものである。
【課題を解決するための手段】
【０００６】
上記目的を達成するために、請求項１に記載の発明は、バーナと、給水管と出湯管とが接続されてバーナに加熱される熱交換器と、バーナの燃焼を制御する制御手段とを備え、制御手段は、バーナの燃焼開始から所定時間の経過でバーナの燃焼を停止させる燃焼タイマーを作動可能な給湯器であって、制御手段は、熱交換器のフィンの閉塞度合いを判断し、フィンの閉塞が所定の度合いまで進行していたときにのみ燃焼タイマーを作動させることを特徴とするものである。
請求項２に記載の発明は、請求項１の構成において、制御手段は、フィンの閉塞度合いに応じて燃焼タイマーの所定時間を変更することを特徴とするものである。
請求項３に記載の発明は、請求項２の構成において、バーナへ燃焼用空気を供給する給気ファンを備え、燃焼タイマーの所定時間の変更は、バーナの燃焼が停止した際に実行される給気ファンのポストパージの際に行うことを特徴とするものである。
【発明の効果】
【０００７】
請求項１に記載の発明によれば、フィンの閉塞が進行していない正常時には燃焼タイマーが作動することなく使用できる一方、フィンの閉塞がある程度進行している状態では、燃焼タイマーが作動して室内環境が汚染される前に器具の使用を停止させることができる。よって、燃焼タイマーの機能があっても使い勝手を損なうことがない。
請求項２に記載の発明によれば、請求項１の効果に加えて、フィンの閉塞度合いに応じた適切な燃焼タイマーを設定することができる。
請求項３に記載の発明によれば、請求項２の効果に加えて、ポストパージの時間を利用して燃焼タイマーの書き換えを合理的に行うことができる。
【図面の簡単な説明】
【０００８】
【図１】給湯器の概略図である。
【図２】給湯器の動作のフローチャートである。
【図３】判定値と燃焼タイマーとの関係を示すグラフである。
【発明を実施するための形態】
【０００９】
以下、本発明の実施の形態を図面に基づいて説明する。
図１は、給湯器の一例を示す概略図で、給湯器１は、器具本体内に、給気ファン３を備えた燃焼室２を形成して、燃焼室２の内部に、燃料ガスと給気ファン３からの一次空気との混合ガスを燃焼させる複数（ここでは４ユニット）のバーナ４，４・・を備えると共に、バーナ４の燃焼によって加熱され、給水管６と出湯管７とを接続した熱交換器５を設けている。バーナ４へのガス管８には、元電磁弁９及びガス比例弁１０が設けられ、ガス管８から分岐する各バーナ４への分岐管には、切替電磁弁１１，１１・・がそれぞれ設けられて、各弁が制御手段としてのコントローラ１２によって制御可能となっている。１３はイグナイタ、１４は点火電極、１５はフレームロッドである。
【００１０】
また、給水管６と出湯管７との間には、熱交換器５をバイパスするバイパス管１６が接続されて、給水管６におけるバイパス管１６との接続位置よりも上流側には、給水管６を流れる水量を検出する水量センサ１７と、給水管６の水量を制御する水量サーボ１８とが設けられ、バイパス管１６との接続位置には、バイパス管１６への水量を制御するバイパスサーボ１９が設けられて、それぞれコントローラ１２に電気的接続されている。一方、出湯管７には、給湯栓２０と、出湯管７内の湯の温度を検出するサーミスタ２１，２２が設けられている。このうちサーミスタ２１はバイパス管１６よりも下流側に設けられ、サーミスタ２２はバイパス管１６よりも上流側で燃焼室２からの出口際に設けられるもので、それぞれコントローラ１２に電気的接続されている。
【００１１】
以上の如く構成された給湯器１の動作を、図２のフローチャートに基づいて説明する。
まず、給湯栓２０を開いて器具内に通水させ、Ｓ１の判別で、水量センサ１７から得られる信号によって器具内を流れる水量が点火水量を超えていることが確認されると、コントローラ１２は、Ｓ２で、給気ファン３を回転させてプリパージを行う。このとき、Ｓ３で、熱交換器５のフィン閉塞について自己診断を行う。
【００１２】
この自己診断は、図３に示すように、所定の判定値Ｄが基準値Ｄｏを所定量Ｓ以上下回っているか否かの判断で、具体的には判定値として給気ファン３のファンモータの電流値が考えられる。なお、図３において、横軸はフィンの閉塞率で、ＣＯはＣＯ濃度の変化を示している。ここで判定値Ｄが基準値Ｄｏを所定量Ｓ以上下回っていれば（図３に示す閉塞率Ｒより右側部分）、Ｓ４で燃焼タイマーＴ（例えば１２０分）をスタートさせるが、所定量Ｓを下回っていなければ（図３に示す閉塞率Ｒより左側部分）、燃焼タイマーＴはスタートさせない。
【００１３】
次に、Ｓ５で、元電磁弁９と切替電磁弁１１及びガス比例弁１０をそれぞれ開いてバーナ４にガスを供給すると共に、イグナイタ１３を作動させてバーナ４の点火制御を行う。バーナ４の点火をフレームロッド１５で確認した後、コントローラ１２は、Ｓ６で、サーミスタ２１で検出された出湯温度と、リモコン２３で設定された設定温度との差に応じて、ガス比例弁１０の開度を制御してガス量を連続的に変化させ、出湯温度を設定温度に一致させる出湯温制御を行う。このときコントローラ１２は、ガス比例弁１０の制御によるガス量の変化に応じて給気ファン３の回転数を変化させて、ガス量と空気量との比率を制御する。
【００１４】
そして、燃焼タイマーＴをスタートさせていた場合、Ｓ７でタイムアップが確認されると、コントローラ１２は、Ｓ８で元電磁弁９、ガス比例弁１０、切替電磁弁１１をそれぞれ閉弁させてバーナ４を消火させる。
一方、燃焼タイマーＴをスタートさせていない場合、若しくは燃焼タイマーＴがタイムアップしていない場合、Ｓ９の判別で給湯栓２０の閉栓によって水量が点火水量を下回ることが確認されると、コントローラ１２は、Ｓ１０で元電磁弁９、ガス比例弁１０、切替電磁弁１１をそれぞれ閉弁させてバーナ４を消火させ、Ｓ１１で給気ファン３を一定時間回転させてポストパージを行う。
【００１５】
このポストパージの際、コントローラ１２は、Ｓ１２で判定値Ｄをチェックして、記憶されている判定値と同じか否かを判別する。この記憶されている判定値は、器具の最初の使用時であれば予め設定された判定値であり、２回目以降の使用時であれば、Ｓ１２でチェックした際に記憶された前回の判定値である。ここで判定値Ｄが記憶された判定値と異なっていれば、Ｓ１３で、判定値の低下度合い、すなわち熱交換器５のフィンの閉塞度合いに従って燃焼タイマーＴの時間を変更する。これは、図３に示す、予め設定した判定値Ｄの変化と燃焼タイマーＴの時間との関係に基づくもので、判定値Ｄと対応する燃焼タイマーＴの時間をこの図３の関係から抽出して燃焼タイマーＴの時間を書き換える。なお、Ｓ１２の判別で判定値に変わりがなければ、燃焼タイマーＴの時間を書き換えることなくＳ１へ戻る。
【００１６】
このように、上記形態の給湯器１によれば、コントローラ１２は、熱交換器５のフィンの閉塞度合いを判断し、フィンの閉塞が所定の度合いまで進行していたときにのみ燃焼タイマーを作動させることで、フィンの閉塞が進行していない正常時には燃焼タイマーが作動することなく使用できる一方、フィンの閉塞がある程度進行している状態では、燃焼タイマーが作動して室内環境が汚染される前に器具の使用を停止させることができる。よって、燃焼タイマーの機能があっても使い勝手を損なうことがない。
【００１７】
特にここでは、コントローラ１２は、フィンの閉塞度合いに応じて燃焼タイマーの所定時間を変更するようにしているので、フィンの閉塞度合いに応じた適切な燃焼タイマーを設定することができる。
また、燃焼タイマーの所定時間の変更は、バーナ４の燃焼が停止した際に実行される給気ファン３のポストパージの際に行うようにしているので、ポストパージの時間を利用して燃焼タイマーの書き換えを合理的に行うことができる。
【００１８】
なお、上記形態では、自己診断の判定値としてファンモータの電流値を利用しているが、給気ファンの回転数とする等、フィンの閉塞の度合いが検出可能であれば具体的な判定値は適宜選択可能である。
また、上記形態では、ポストパージの際に判定値を記憶された判定値と比較して変化があれば燃焼タイマーを書き換えるようにしているが、この燃焼タイマーの書き換えはポストパージの際に限らず、例えばプリパージの際等の他のタイミングで行うようにしてもよい。さらには燃焼タイマーの書き換えは省略することもできる。
【００１９】
その他、上記形態では、給水管と出湯管との間にバイパス管を接続したバイパスミキシング式の給湯器で説明しているが、バイパス管のない給湯器であっても本発明は適用可能である。同様に、出湯管が分岐して浴槽に接続されて風呂熱交換器と浴槽との間に湯水の循環回路が形成される風呂付きの給湯器であっても本発明の適用は妨げない。
【符号の説明】
【００２０】
１・・給湯器、２・・燃焼室、３・・給気ファン、４・・バーナ、５・・熱交換器、６・・給水管、７・・出湯管、８・・ガス管、１０・・ガス比例弁、１２・・コントローラ、１６・・バイパス管、１７・・水量センサ、２０・・給湯栓、２１，２２・・サーミスタ、２３・・リモコン。
【図１】
2014025664.tif 000003
【図２】
2014025664.tif 000004
【図３】
2014025664.tif 000005